(57)【要約】【課題】雑音のキャンセル効果を低下させることなく、装置の小型化を図ること。【解決手段】電子機器におけるマイクロホン装置において、筐体ＫＴＳの少なくとも一部を形成するフロントケース１１およびリヤケ−ス１２と、フロントケースの幅方向のほぼ中央に設けられた第１の音孔２１ａと、リヤケ−スの幅方向のほぼ中央であってかつ第１の音孔２１ａに対し筐体の長手方向にずれた位置に設けられた第２の音孔２１ｂと、第１の音孔から入る音を受音するようフロントケースに向かう方向で筐体の内部に配置された第１のマイクロホンユニット３２と、第１のマイクロホンユニットに対し幅方向にずれた位置において、リヤケ−スに向かう方向で筐体の内部に配置された第２のマイクロホンユニット３３と、第２の音孔から入る音を第２のマイクロホンユニットが受音するように導く音道を有する導音部材３４とを有する。【選択図】  図１３
2010187311.tif 000002
【特許請求の範囲】
【請求項１】
電子機器におけるマイクロホン装置において、
筐体の少なくとも一部を形成するフロントケースおよびリヤケ−スと、
前記フロントケースの幅方向のほぼ中央に設けられた第１の音孔と、
前記リヤケ−スの幅方向のほぼ中央であってかつ前記第１の音孔に対し前記筐体の長手方向にずれた位置に設けられた第２の音孔と、
前記第１の音孔から入る音を受音するよう前記フロントケースに向かう方向で前記筐体の内部に配置された第１のマイクロホンユニットと、
前記第１のマイクロホンユニットに対し幅方向にずれた位置において、前記リヤケ−スに向かう方向で前記筐体の内部に配置された第２のマイクロホンユニットと、
前記第２の音孔から入る音を前記第２のマイクロホンユニットが受音するように導く音道を有する導音部材と、
を有する電子機器におけるマイクロホン装置。
【請求項２】
前記導音部材は、
前記リヤケ−スの内側面に対向しかつ前記第２の音孔を囲むように穴が設けられた大パッド部と、
前記第２のマイクロホンユニットの表面に対向する小パッド部と、
前記大パッド部と前記小パッド部との間を接続して前記音道を形成する周壁部と、
を有する、
請求項１記載の電子機器におけるマイクロホン装置。
【請求項３】
電子部品の実装された基板が前記筐体の内部に配置されており、
前記第１のマイクロホンユニットおよび前記第２のマイクロホンユニットは、前記基板の同じ側の表面に実装されている、
請求項１または２記載の電子機器におけるマイクロホン装置。
【請求項４】
前記第１のマイクロホンユニットおよび前記第２のマイクロホンユニットは、前記基板の前記リヤケ−ス側の面に実装されており、
前記基板には、前記第１のマイクロホンユニットに音を導くための第３の音孔が前記第１の音孔に対応する位置に設けられ、
前記フロントケースと前記基板との間に、前記第１の音孔から入る音を前記第３の音孔に導くためのガスケットが設けられている、
請求項３記載の電子機器におけるマイクロホン装置。
【請求項５】
前記大パッド部は、外形が長円形状であり、
前記周壁部は、その内周面が、前記大パッド部の前記穴から前記小パッド部の穴に至るテーパ面状であり、
前記大パッド部の長手方向に沿う軸心線が前記筐体の幅方向線に対して傾斜した状態で前記リヤケ−スに取り付けられている、
請求項２記載の電子機器におけるマイクロホン装置。
【請求項６】
フロントケースおよびリヤケ−スによって筐体の少なくとも一部が形成される携帯電話機において、
前記フロントケースの幅方向のほぼ中央に設けられた第１の音孔と、
前記リヤケ−スの幅方向のほぼ中央であってかつ前記第１の音孔に対し前記筐体の長手方向にずれた位置に設けられた第２の音孔と、
前記第１の音孔から入る音を受音するように前記筐体の内部に配置された第１のマイクロホンユニットと、
前記第１のマイクロホンユニットに対し幅方向にずれた位置において前記筐体の内部に配置された第２のマイクロホンユニットと、
前記第２の音孔から入る音を前記第２のマイクロホンユニットが受音するように導く音道を有する導音部材と、
を有する携帯電話機。
【請求項７】
筐体のフロント側とリア側において幅方向のほぼ中央に設けられた第１の音孔および第２の音孔が設けられ、前記第１の音孔から入る音を受音するようフロント側に向かう方向に第１のマイクロホンユニットが配置され、前記第１のマイクロホンユニットに対し幅方向にずれた位置にリヤ側に向かう方向に第２のマイクロホンユニットが配置された導音部材であって、
前記筐体のリヤ側の内側面に対向しかつ前記第２の音孔を囲むように穴が設けられた大パッド部と、
前記第２のマイクロホンユニットの表面に対向する小パッド部と、
前記大パッド部と前記小パッド部との間を接続して前記第２の音孔から入る音を前記第２のマイクロホンユニットが受音するように導く音道を形成する周壁部と、
を有する導音部材。
【発明の詳細な説明】
【技術分野】
【０００１】
本発明は、電子機器におけるマイクロホン装置、携帯電話機、および導音部材に関する。
【背景技術】
【０００２】
従来より、携帯電話機または音響機器などにおいて、２つのマイクロホンユニットを用いた、いわゆるダブルマイク構造のマイクロホン装置が搭載されている。
【０００３】
例えば、ビデオカメラにおいて、２つのマイクロホンユニットを、振動膜を上向きにして隙間が生じないように配置する。２つのマイクロホンユニットの各音孔とユニットケース外部の空間とを結ぶパイプをそれぞれ設ける。これにより、２つのパイプの開口部間の距離がマイクロホンユニットの２つの音孔間の距離よりも大きくなるように設定することができ、ステレオマイクロホンを小型化することができる（特許文献１）。
【０００４】
また、携帯電話機において、ユーザの話声をはっきりと集音するために、２つのマイクロホンユニットを用い、フロントケース側からの音とリヤケ−ス側からの音とを受音して周囲の雑音をキャンセルすることが行われている。
【０００５】
図１６は従来の携帯電話機１ｊの固定側の筐体ＫＴＫｊの正面図、図１７は筐体ＫＴＫｊの内部に設けられたマイクロホン装置ＭＣｊを示す正面図である。
【０００６】
図１６および図１７において、筐体ＫＴＫｊは、フロントケースＫＫＦｊおよびリヤケ−スＫＫＲｊが合わさった状態でネジで結合されることによって構成される。
【０００７】
フロントケースＫＫＦｊには、その幅方向のほぼ中央、つまり筐体ＫＴＫｊの長手方向に沿う中心線ＴＳ上に、送話用の第１の音孔８１が設けられている。また、リヤケ−スＫＫＲｊには、同じくその幅方向のほぼ中央であって第１の音孔８１よりも若干下方へずれた位置に、第２の音孔８２が設けられている。
【０００８】
図１７において、第１の音孔８１および第２の音孔８２の位置に合わせて、プリント基板ＫＢｊ上に２つのマイクロホンユニットＵＭ１ｊ，ＵＭ２ｊが実装されている。これら２つのマイクロホンユニットＵＭ１ｊ，ＵＭ２ｊは、環境音に対しては互いに逆位相で受音するので、これらの出力信号を加算することによって環境音つまり雑音の大部分を消去することができる。
【先行技術文献】
【特許文献】
【０００９】
【特許文献１】特開平６−２８８４４９４
【発明の概要】
【発明が解決しようとする課題】
【００１０】
しかし、図１６および図１７で示した従来のマイクロホン装置ＭＣｊでは、フロントケースＫＫＦｊの幅方向の中央に２つのマイクロホンユニットＵＭ１ｊ，ＵＭ２ｊを縦方向に並べて配置するので、携帯電話機１ｊの長さ寸法が大きくなってしまい、小型化を図る上での大きな制約となっていた。
【００１１】
もし仮に、マイクロホンユニットＵＭ１ｊ，ＵＭ２ｊの位置を変更し、これに合わせて第１の音孔８１および第２の音孔８２の位置を変更した場合には、雑音のキャンセル効果が低下する可能性があり、また右効きのユーザと左効きのユーザとで指向特性が変わってしまい、使い勝手の上で問題が生じる可能性がある。また、近年の高機能化多機能化にともなって益々実装密度が高くなる携帯電話機１ｊにおいて、２つのマイクロホンユニットをどのように配置するかといった点は実装上極めて重要な問題である。
【００１２】
本発明は、上述の問題に鑑みてなされたもので、雑音のキャンセル効果を低下させることなく、装置の小型化を図ることを目的とする。
【課題を解決するための手段】
【００１３】
本実施形態に係るマイクロホン装置は、筐体の少なくとも一部を形成するフロントケースおよびリヤケ−スと、前記フロントケースの幅方向のほぼ中央に設けられた第１の音孔と、前記リヤケ−スの幅方向のほぼ中央であってかつ前記第１の音孔に対し前記筐体の長手方向にずれた位置に設けられた第２の音孔と、前記第１の音孔から入る音を受音するよう前記フロントケースに向かう方向で前記筐体の内部に配置された第１のマイクロホンユニットと、前記第１のマイクロホンユニットに対し幅方向にずれた位置において、前記リヤケ−スに向かう方向で前記筐体の内部に配置された第２のマイクロホンユニットと、前記第２の音孔から入る音を前記第２のマイクロホンユニットが受音するように導く音道を有する導音部材とを有する。
【発明の効果】
【００１４】
本発明によると、雑音のキャンセル効果を低下させることなく、装置の小型化を図ることが可能である。
【図面の簡単な説明】
【００１５】
【図１】本発明の一実施形態に係る携帯電話機の外観を示す正面図である。
【図２】携帯電話機の受話器側のフロントケース側から見た分解斜視図である。
【図３】携帯電話機の送話器側のフロントケース側から見た分解斜視図である。
【図４】携帯電話機の送話器側の背面図である。
【図５】図１のＡ−Ａ線断面矢視図である。
【図６】図５の要部を拡大して示す図である。
【図７】図１の中央を縦断面して右方を見た図である。
【図８】送話器側のプリント基板の一部をリヤケ−ス側から見た正面図である。
【図９】導音部材の正面図、左側面図、底面図である。
【図１０】導音部材の右側面図および右側面断面図である。
【図１１】導音部材の背面図である。
【図１２】導音部材の斜視図である。
【図１３】マイクロホン装置の配置関係を示す図である。
【図１４】マイクロホン装置の回路の例を示す図である。
【図１５】マイクロホン装置の水平方向の指向性を示す図である。
【図１６】従来の携帯電話機の固定側の筐体の正面図である。
【図１７】従来のマイクロホン装置を示す正面図である。
【発明を実施するための形態】
【００１６】
図１ないし図４において、本実施形態の携帯電話機１は、送話器側（固定側）ＳＧと受話器側（可動側）ＪＧとがヒンジＨＪによって回動可能に連結された折り畳み式のものである。送話器側ＳＧの筐体ＫＴＳは、表面に操作部ＳＢが設けられたフロントケース１１、および、フロントケース１１の裏面側に接して配置されたリアケ−ス１２からなる。フロントケース１１およびリアケ−ス１２は、それぞれポリカーボネートまたはＡＢＳ樹脂などの合成樹脂の成形（モールディング）によって製作される。なお、受話器側ＪＧのフロントケース５１およびリアケ−ス５２も同様に樹脂成形によって製作される。
【００１７】
操作部ＳＢには、電話番号やその他の情報を入力するための種々の操作ボタン２０が、フロントケース１１に設けられた穴から表面（前面）に突出する状態で配列されており、操作ボタンを押すことによって後述するプリント基板３１に設けられた接点やセンサなどがそれを検知するように構成されている。
【００１８】
また、リアケ−ス１２の内部には電池収納部ＲＤが設けられ、その表面は着脱が可能な電池蓋２４となっている。フロントケース１１とリアケ−ス１２とは、リアケ−ス１２の側から挿入されてネジ込まれた４つのネジ４１，４１…によって一体化されている。ネジ４１，４１…を締めつけた後には、ネジ隠し部材４２，４２、４３，４３が挿入され、表面が滑らかに仕上がっている。
【００１９】
図３に示されるように、送話器側ＳＧの筐体ＫＴＳの内部には、テンキーパッドＢＳ１、ドームシートＢＳ２、プリント基板３１、フレキシブルケーブルＢＳ３、ヒンジフレキＢＳ４、固定フレームＢＳ５、ＳＩＭトレイＢＳ６、サブ基板ＢＳ７、導音部材３４および粘着テープ３５ａなどの部品ＢＳ８、および部品ＢＳ９などが組み込まれている。
【００２０】
図１に戻って、受話器側ＪＧの筐体ＫＴＪは、フロントケース５１、およびフロントケース５１の裏面側に接して配置されたリアケ−ス５２からなる。フロントケース５１の表面には、カラーＬＣＤからなるメインディスプレイ６１が設けられ、その上方に内部の受話用スピーカの出力する音声を外部に伝えるための受話口パッド６３が設けられる。
【００２１】
図２に示されるように、受話器側ＪＧの筐体ＫＴＪの内部には、レシ−バシ−ト６４、ワンタッチキ−ＢＪ３、ワンタッチフレキモジュールＢＪ４、ワンタッチテ−プＢＪ５、ＬＣＤ保護パネルＢＪ６、ＬＣＤ用パッキンＢＪ７、スピ−カ６５、カメラ６６、ホルダ６７、メインディスプレイ６１、サブディスプレイＢＳ９、プリント基板６２（ＢＪ１０）、フレームＢＪ１１、サブＬＣＤ用パッキンＢＪ１２、サブＬＣＤ保護パネルＢＪ１３、およびリアパネルテープＢＪ１４などが組み込まれている。
【００２２】
フロントケース５１とリアケ−ス５２とは、フロントケース５１の側から挿入されてネジ込まれた４つのネジ７１，７１…によって一体化されている。
【００２３】
送話器側ＳＧのプリント基板３１と受話器側ＪＧのプリント基板６２などとの間において、フレキシブルケーブルＢＳ４により種々の信号の送受信が行われる。フレキシブルケーブルＢＳ４は、ヒンジＨＪの内部空間を通って撓んだ状態で配設されており、ヒンジＨＪにおける屈曲に耐えるような屈曲耐性を有している。
【００２４】
次に、携帯電話機１の送話器側ＳＧの筐体ＫＴＳに設けられたマイクロホン装置ＭＣについて説明する。
【００２５】
図１および図４〜図８を参照して、マイクロホン装置ＭＣは、フロントケース１１の幅方向のほぼ中央に設けられた第１の音孔２１ａ、リヤケ−ス１２の幅方向のほぼ中央であってかつ第１の音孔２１ａに対し筐体ＫＴＳの長手方向の下方にずれた位置に設けられた第２の音孔２１ｂを有する。つまり、第１の音孔２１ａおよび第２の音孔２１ｂは、筐体ＫＴＳにおける長手方向に沿う中心線ＴＳ上に設けられている。なお、第１の音孔２１ａおよび第２の音孔２１ｂは、例えば直径が１０分の数ミリメ−トル〜１ミリメ−トル程度の円形の貫通孔である。
【００２６】
そして、第１の音孔２１ａから入る音を受音するように筐体ＫＴＳの内部に配置された第１のマイクロホンユニット３２、第１のマイクロホンユニット３２に対し幅方向にずれた位置において筐体ＫＴＳの内部に配置された第２のマイクロホンユニット３３、および、第２の音孔２１ｂから入る音を第２のマイクロホンユニット３３が受音するように導く音道ＳＤを有する導音部材３４が設けられている。
【００２７】
第１のマイクロホンユニット３２は、受音用の振動板がフロントケース１１の側に向けられており、第２のマイクロホンユニット３３は、受音用の振動板がリアケ−ス１２の側に向けられている。つまり、第１のマイクロホンユニット３２と第２のマイクロホンユニット３３とは、受音の向きが互いに逆である。
【００２８】
なお、フロントケース１１における第１の音孔２１ａの下方には、複数のダミーのマイク穴２２が設けられている。ダミーのマイク穴２２は、裏面に貼られた粘着テ−プによって塞がれている。
【００２９】
図６および図７によく示されるように、第１のマイクロホンユニット３２および第２のマイクロホンユニット３３は、プリント基板３１のリアケ−ス１２側の面に、つまり互いに同じ側の面に実装されている。プリント基板３１には、第１のマイクロホンユニット３２に音を導くための第３の音孔２１ｃが、第１の音孔２１ａに対応する位置に設けられている。フロントケース１１とプリント基板３１との間に、第１の音孔２１ａから入る音を第３の音孔２１ｃに導くためのガスケット３６が設けられている。
【００３０】
ガスケット３６は、ウレタンゴムなどの合成ゴムまたは合成樹脂からなる矩形の外形を有する薄板状のものであり、中央に円形の穴３６ａが設けられ、かつ穴３６ａの部分にメッシュ３６ｂが貼り付けられてなる。
【００３１】
なお、プリント基板３１には、第１のマイクロホンユニット３２が実装されているのと同じ面に、携帯電話機１の機能に必要な回路素子、演算素子、メモリ素子、その他のＬＳＩ、コネクタ、その他の電子部品が、表面実装技術などを用いて実装されている。
【００３２】
図６および図９〜図１２において、導音部材３４は、ＡＢＳ樹脂などの合成樹脂の成形によって製作される。導音部材３４は、リアケ−ス１２の内側面に対向しかつ第２の音孔２１ｂを囲むように穴３４１が設けられた大パッド部３４ａと、第２のマイクロホンユニット３３の表面に対向する小パッド部３４ｂと、大パッド部３４ａと小パッド部３４ｂとの間を接続して音道ＳＤを形成する周壁部３４ｃとを有する。
【００３３】
大パッド部３４ａは外形が長円形状であり、小パッド部３４ｂは外形が矩形状である。周壁部３４ｃは、その内周面が、大パッド部３４ａの穴３４１から小パッド部３４ｂの穴３４２に至るテーパ面状、つまり変形円錐面状である。導音部材３４は、大パッド部３４ａの長手方向に沿う軸心線が筐体ＫＴＳの幅方向線に対して傾斜した状態で、リアケ−ス１２に取り付けられている。
【００３４】
リアケ−ス１２には、大パッド部３４ａが嵌まり込むことによって導音部材３４を保持するための保持壁部１２１が設けられている。つまり、保持壁部１２１は、大パッド部３４ａの外周を取り囲むよう、全体として長円形状に形成されている。導音部材３４の周壁部３４ｃには、保持壁部１２１により正規の姿勢で保持されるための突起３４３〜３４６が設けられている。保持壁部１２１は、突起３４３〜３４６の全部または一部が旨く嵌まり込むように、それらの位置に合わせて切り欠かれている。
【００３５】
つまり、これら突起３４３〜３４６は、導音部材３４をリアケ−ス１２の保持壁部１２１内に組付けるに当たり、その向きおよび姿勢を間違わないように、かつ取り付けた後も姿勢が正しく保持されるように設けられたものである。
【００３６】
なお、大パッド部３４ａの表面および小パッド部３４ｂの表面には、それぞれ粘着テープ３５ａ，３５ｂが貼り付けてある。これら粘着テープ３５ａ，３５ｂによって、導音部材３４はリアケ−ス１２の表面と第２のマイクロホンユニット３３の表面とに密着して固定される。
【００３７】
したがって、第１の音孔２１ａから入った音は、メッシュ３６ｂ、穴３６ａ、および第３の音孔２１ｃを経由して、第１のマイクロホンユニット３２の振動板を振動させる。また、第２の音孔２１ｂから入った音は、導音部材３４の音道ＳＤにより導かれ、第２のマイクロホンユニット３３の振動板を振動させる。
【００３８】
図１３において、第１の音孔２１ａおよび第２の音孔２１ｂは、いずれも筐体ＫＴＳの中心線ＴＳ上に設けられ、これらは正面視で距離Ｌ２だけ互いにずれている。第１のマイクロホンユニット３２および第２のマイクロホンユニット３３は、筐体ＫＴＳの深さ方向においていずれも同じ平面上において、受音の方向が互いに逆になるように配置されている。第１のマイクロホンユニット３２は、目的の音源であるユーザの口元に近く、第２のマイクロホンユニット３３は目的の音源から遠い。また、環境音（雑音）に対しては、第１のマイクロホンユニット３２および第２のマイクロホンユニット３３はほぼ同じ条件であるといえる。
【００３９】
そして、第１のマイクロホンユニット３２と第２のマイクロホンユニット３３とは受音の向きが互いに逆であるから、環境音つまり雑音に対しては互いに逆位相で受音することになる。したがって、第１のマイクロホンユニット３２と第２のマイクロホンユニット３３との出力信号を加算することによって、環境音つまり雑音の大部分を消去することができる。
【００４０】
すなわち、図１４において、第１のマイクロホンユニット３２の出力信号Ｓ１および第２のマイクロホンユニット３３の出力信号Ｓ２は、それぞれ増幅器３２１，３２２によって増幅され、ＡＤ変換器３２３，３２４によって量子化される。その後、同期減算部３２５によって２つの信号Ｓ１ａ，Ｓ２ａが適正なレベルで加算され、雑音が抑圧された音声信号Ｓ３が出力される。
【００４１】
図１５に示すように、音声信号Ｓ３は、目的の音源に対して感度が高く、逆方向の音源に対しては感度が低い指向性を持つ。したがって、ユーザの発音する声に対しては良好な指向性が得られ、環境音の音源に対しては雑音のキャンセル効果が大きい。また、指向性はほぼ左右対称であり、右効きのユーザと左効きのユーザとで使い勝手が変わることはない。
【００４２】
このように、本実施形態の携帯電話機１では、ダブルマイク構造のマイクロホン装置ＭＣを搭載することにより、周囲の雑音を抑制し、ユーザの音声を明瞭にすることができる。第１のマイクロホンユニット３２および第２のマイクロホンユニット３３を互いに幅方向にずれた位置に配置し、導音部材３４を用いて第２のマイクロホンユニット３３に音を導くので、雑音のキャンセル効果を低下させることなく、携帯電話機１の長さ寸法を短くして装置を小型化することができる。また、第１のマイクロホンユニット３２および第２のマイクロホンユニット３３はプリント基板３１の同じ表面に実装されるので、プリント基板３１の設計、部品の実装、組み立てが容易である。
【００４３】
上に述べた実施形態において、第１のマイクロホンユニット３２および第２のマイクロホンユニット３３として、種々の方式のものを用いることが可能である。また、図に示したマイクロホンユニット３２，３３は正面視が矩形であるが、円形、楕円形、多角形など、他の種々の形状であってもよい。また、それらの寸法についても種々の適切なものとすることができる。
【００４４】
上に述べた実施形態において、フロントケース１１およびリアケ−ス１２の形状は、上に述べた以外の種々の形状であってもよい。例えば、フロントケース１１およびリアケ−ス１２が平板状のものであってもよい。これらの正面視の形状は、矩形状、卵形状、楕円形状、長円形状、多角形状、その他の種々の形状であってもよい。フロントケース１１とリアケ−ス１２との間に他の部材が介在する構造であってもよい。
【００４５】
上に述べた実施形態において、フロントケース１１、リアケ−ス１２、プリント基板３１、導音部材３４、マイクロホン装置ＭＣ、携帯電話機１の全体または各部の構成、構造、形状、寸法、成形方法、製作方法、配置、個数、材質、位置などは、上に述べた以外に種々変更することができる。
【００４６】
上に述べた例では折り畳み式の携帯電話機１について説明したが、折り畳み式でない携帯電話機、携帯電話機以外の種々の携帯端末機、固定の電話機、通信機器、コンピュータ機器、ゲーム機器、その他の電子機器などにも、本発明を適用することができる。
【００４７】
本実施形態には次に記載する形態も含まれる。
（付記１）
電子機器におけるマイクロホン装置において、
筐体の少なくとも一部を形成するフロントケースおよびリヤケ−スと、
前記フロントケースの幅方向のほぼ中央に設けられた第１の音孔と、
前記リヤケ−スの幅方向のほぼ中央であってかつ前記第１の音孔に対し前記筐体の長手方向にずれた位置に設けられた第２の音孔と、
前記第１の音孔から入る音を受音するよう前記フロントケースに向かう方向で前記筐体の内部に配置された第１のマイクロホンユニットと、
前記第１のマイクロホンユニットに対し幅方向にずれた位置において、前記リヤケ−スに向かう方向で前記筐体の内部に配置された第２のマイクロホンユニットと、
前記第２の音孔から入る音を前記第２のマイクロホンユニットが受音するように導く音道を有する導音部材と、
を有する電子機器におけるマイクロホン装置。
（付記２）
前記導音部材は、
前記リヤケ−スの内側面に対向しかつ前記第２の音孔を囲むように穴が設けられた大パッド部と、
前記第２のマイクロホンユニットの表面に対向する小パッド部と、
前記大パッド部と前記小パッド部との間を接続して前記音道を形成する周壁部と、
を有する、
付記１記載の電子機器におけるマイクロホン装置。
（付記３）
電子部品の実装された基板が前記筐体の内部に配置されており、
前記第１のマイクロホンユニットおよび前記第２のマイクロホンユニットは、前記基板の同じ側の表面に実装されている、
付記１または２記載の電子機器におけるマイクロホン装置。
（付記４）
前記第１のマイクロホンユニットおよび前記第２のマイクロホンユニットは、前記基板の前記リヤケ−ス側の面に実装されており、
前記基板には、前記第１のマイクロホンユニットに音を導くための第３の音孔が前記第１の音孔に対応する位置に設けられ、
前記フロントケースと前記基板との間に、前記第１の音孔から入る音を前記第３の音孔に導くためのガスケットが設けられている、
付記３記載の電子機器におけるマイクロホン装置。
（付記５）
前記大パッド部は、外形が長円形状であり、
前記周壁部は、その内周面が、前記大パッド部の前記穴から前記小パッド部の穴に至るテーパ面状であり、
前記大パッド部の長手方向に沿う軸心線が前記筐体の幅方向線に対して傾斜した状態で前記リヤケ−スに取り付けられている、
付記２記載の電子機器におけるマイクロホン装置。
（付記６）
前記リヤケ−スには、前記大パッド部が嵌まり込むことによって前記導音部材を保持するための保持壁部が設けられており、
前記導音部材の前記周壁部には、前記保持壁部により正規の姿勢で保持されるための突起が設けられている、
付記５記載の電子機器におけるマイクロホン装置。
（付記７）
フロントケースおよびリヤケ−スによって筐体の少なくとも一部が形成される携帯電話機において、
前記フロントケースの幅方向のほぼ中央に設けられた第１の音孔と、
前記リヤケ−スの幅方向のほぼ中央であってかつ前記第１の音孔に対し前記筐体の長手方向にずれた位置に設けられた第２の音孔と、
前記第１の音孔から入る音を受音するように前記筐体の内部に配置された第１のマイクロホンユニットと、
前記第１のマイクロホンユニットに対し幅方向にずれた位置において前記筐体の内部に配置された第２のマイクロホンユニットと、
前記第２の音孔から入る音を前記第２のマイクロホンユニットが受音するように導く音道を有する導音部材と、
を有する携帯電話機。
（付記８）
前記導音部材は、
前記リヤケ−スの内側面に対向しかつ前記第２の音孔を囲むように穴が設けられた大パッド部と、
前記第２のマイクロホンユニットの表面に対向する小パッド部と、
前記大パッド部と前記小パッド部との間を接続して前記音道を形成する周壁部と、
を有する、
付記７記載の携帯電話機。
（付記９）
電子部品の実装された基板が前記フロントケースの内側面に接近して配置されており、
前記第１のマイクロホンユニットおよび前記第２のマイクロホンユニットは、前記基板の前記リヤケ−ス側の表面に実装されており、
前記基板には、前記第１のマイクロホンユニットに音を導くための第３の音孔が前記第１の音孔に対応する位置に設けられ、
前記フロントケースと前記基板との間に、前記第１の音孔から入る音を前記第３の音孔に導くためのガスケットが設けられている、
付記７または８記載の携帯電話機。
（付記１０）
筐体のフロント側とリア側において幅方向のほぼ中央に設けられた第１の音孔および第２の音孔が設けられ、前記第１の音孔から入る音を受音するようフロント側に向かう方向に第１のマイクロホンユニットが配置され、前記第１のマイクロホンユニットに対し幅方向にずれた位置にリヤ側に向かう方向に第２のマイクロホンユニットが配置されたダブルマイクロホン構造のために用いられる導音部材であって、
前記筐体のリヤ側の内側面に対向しかつ前記第２の音孔を囲むように穴が設けられた大パッド部と、
前記第２のマイクロホンユニットの表面に対向する小パッド部と、
前記大パッド部と前記小パッド部との間を接続して前記第２の音孔から入る音を前記第２のマイクロホンユニットが受音するように導く音道を形成する周壁部と、
を有するダブルマイクロホン構造のための導音部材。
【符号の説明】
【００４８】
１  携帯電話機（電子機器）
１１  フロントケース
１２  リアケ−ス
２１ａ  第１の音孔
２１ｂ  第２の音孔
２１ｃ  第３の音孔
３１  プリント基板（基板）
３２  第１のマイクロホンユニット
３３  第２のマイクロホンユニット
３４  導音部材
３４ａ  大パッド部
３４ｂ  小パッド部
３４ｃ  周壁部
３４１  穴
３４３〜３４６  突起
３６  ガスケット
１２１  保持壁部
３４３〜３４６  突起
ＭＣ  マイクロホン装置
ＫＴＳ  筐体
ＳＤ  音道
【図１】
2010187311.tif 000003
【図２】
2010187311.tif 000004
【図３】
2010187311.tif 000005
【図４】
2010187311.tif 000006
【図５】
2010187311.tif 000007
【図６】
2010187311.tif 000008
【図７】
2010187311.tif 000009
【図８】
2010187311.tif 000010
【図９】
2010187311.tif 000011
【図１０】
2010187311.tif 000012
【図１１】
2010187311.tif 000013
【図１２】
2010187311.tif 000014
【図１３】
2010187311.tif 000015
【図１４】
2010187311.tif 000016
【図１５】
2010187311.tif 000017
【図１６】
2010187311.tif 000018
【図１７】
2010187311.tif 000019